(57)【要約】【課題】  高い抗張力を有し、引留具への巻き付け作業性が良好な光ファイバケーブル等を提供する。【解決手段】  光ファイバケーブル１は、主に、支持線部１５およびケーブル部１７が連結部１１で連結されて構成される。ケーブル部１７は、光ファイバ心線３およびテンションメンバ５が外被９によって一括して被覆されて構成される。ケーブル部１７の両側には、支持線部１５が設けられる。すなわち、光ファイバケーブル１は、支持線部１５が２つ設けられる。支持線部１５は、支持線７が外被９によって被覆されて構成される。それぞれの支持線部１５は、ケーブル部１７と連結部１１で連結される。すなわち、支持線部１５の外被９とケーブル部１７の外被９とが連結部１１を介して一体で形成される。【選択図】図１
2017173519.tif 000002
【特許請求の範囲】
【請求項１】
自己支持型の光ファイバケーブルであって、
ケーブル部と、
前記ケーブル部に連結する２つの支持線部と、
を具備し、
前記ケーブル部には、光ファイバ心線と、テンションメンバと、前記光ファイバ心線と前記テンションメンバとを一括で被覆する外被とを具備し、
前記支持線部は、支持線と、前記支持線とを被覆する外被とを具備し、
前記支持線部の外被と前記ケーブル部の外被とが連結部を介して一体で形成されることを特徴とする光ファイバケーブル。
【請求項２】
前記支持線部は、前記ケーブル部の両側に配置されることを特徴とする請求項１記載の光ファイバケーブル。
【請求項３】
それぞれの前記支持線部の前記支持線が、前記光ファイバ心線と、前記テンションメンバとを結ぶ前記ケーブル部の中心線上に配置されることを特徴とする請求項１または請求項２に記載の光ファイバケーブル。
【請求項４】
前記支持線部の併設方向に垂直な方向に対する前記支持線部の径が、前記支持線部の併設方向に垂直な方向に対する前記ケーブル部の径よりも大きいことを特徴とする請求項１から請求項３のいずれかに記載の光ファイバケーブル。
【請求項５】
前記支持線が、１．２ｍｍ径〜１．６ｍｍ径の鋼線であることを特徴とする請求項１から請求項４のいずれかに記載の光ファイバケーブル。
【請求項６】
請求項１から請求項４のいずれかに記載の光ファイバケーブルの引き留め構造であって、
それぞれの前記支持線部が、前記ケーブル部から分離され、
一方の前記支持線部が、引留具に対して巻きつけられて支持され、
他方の前記支持線部が、前記引留具に対して、一方の前記支持線部とは逆方向に巻き付けられて支持されることを特徴とする光ファイバケーブル引き留め構造。
【発明の詳細な説明】
【技術分野】
【０００１】
本発明は、自己支持型の光ファイバケーブルおよびその引き留め構造に関するものである。
【背景技術】
【０００２】
従来、集合住宅等に対して光ファイバケーブル等を敷設するためには、屋外に設けられる電柱等から、各部屋等に対して光ファイバケーブルが引き落とされて敷設される。
【０００３】
このような自己支持型の光ファイバケーブルとしては、例えば、少なくとも１本の光ファイバ心線又は光ファイバユニットと、光ファイバ心線又は光ファイバユニットを被覆するシースと、シースに埋設され前記光ファイバ心線又は光ファイバユニットに沿って配置される少なくとも２本のテンションメンバからなる光ファイバケーブルがある（特許文献１）。
【先行技術文献】
【特許文献】
【０００４】
【特許文献１】特開２００５−２５７７５２号公報
【発明の概要】
【発明が解決しようとする課題】
【０００５】
このような光ファイバケーブルは屋外に敷設されるため、冬季の着雪によって大きな荷重がかかる場合がある。したがって、着雪による破断を防止するためには、支持線の抗張力を大きくする必要がある。このため、支持線の径を太くする必要がある。
【０００６】
一方、光ファイバケーブルは引留具によって柱等に固定される。この固定には手で光ファイバケーブルの支持線を引張り、弛度を調整しながら引留具に支持線を引留具に巻き付けるという作業が必要である。
【０００７】
しかし、前述した様に、着雪対策として支持線の径を太くすると、支持線を引留具に巻き付けることが困難となる。このため、支持線を引留具へ巻き付ける作業が容易であるとともに、着雪による破断を防止することが可能な光ファイバケーブルが求められる。
【０００８】
本発明は、このような問題に鑑みてなされたもので、高い抗張力を有し、引留具への巻き付け作業性が良好な光ファイバケーブル等を提供することを目的とする。
【課題を解決するための手段】
【０００９】
前述した目的を達するために第１の発明は、自己支持型の光ファイバケーブルであって、ケーブル部と、前記ケーブル部に連結する２つの支持線部と、を具備し、前記ケーブル部には、光ファイバ心線と、テンションメンバと、前記光ファイバ心線と前記テンションメンバとを一括で被覆する外被とを具備し、前記支持線部は、支持線と、前記支持線とを被覆する外被とを具備し、前記支持線部の外被と前記ケーブル部の外被とが連結部を介して一体で形成されることを特徴とする光ファイバケーブルである。
【００１０】
前記支持線部は、前記ケーブル部の両側に配置されることが望ましい。
【００１１】
それぞれの前記支持線部の前記支持線が、前記光ファイバ心線と、前記テンションメンバとを結ぶ前記ケーブル部の中心線上に配置されることが望ましい。
【００１２】
前記支持線部の併設方向に垂直な方向に対する前記支持線部の径が、前記支持線部の併設方向に垂直な方向に対する前記ケーブル部の径よりも大きいことが望ましい。
【００１３】
前記支持線が、１．２ｍｍ径〜１．６ｍｍ径の鋼線であることが望ましい。
【００１４】
第１の発明によれば、支持線部が２つ形成されるため、２本の支持線で抗張力を受け持つことができる。このため、着雪時における破断を抑制することができる。また、１本の支持線の外径を太くする必要がないため、引留具への巻き付け作業は、従来と同様に行うことができる。
【００１５】
この際、支持線部がケーブル部の両側に形成されることで、支持線部によって両側からケーブル部を保護する効果も期待できる。
【００１６】
また、支持線部の支持線が、光ファイバ心線とテンションメンバとを結ぶ中心軸上に配置されれば、光ファイバケーブルをコイル状に巻き付け易くなる。
【００１７】
また、支持線部の併設方向に垂直な方向に対する支持線部の径を、支持線部の併設方向に垂直な方向に対するケーブル部の径よりも大きくすることで、側圧に対して、ケーブル部を保護することができる。
【００１８】
特に、支持線が、１．２ｍｍ径〜１．６ｍｍ径の鋼線であれば、着雪に対する効果と、引留具への巻き付け性に対する効果を効率よく両立することができる。
【００１９】
第２の発明は、第１の発明にかかる光ファイバケーブルの引き留め構造であって、それぞれの前記支持線部が、前記ケーブル部から分離され、一方の前記支持線部が、引留具に対して巻きつけられて支持され、他方の前記支持線部が、前記引留具に対して、前記一方の支持線部とは逆方向に巻き付けられて支持されることを特徴とする光ファイバケーブル引き留め構造である。
【００２０】
第２の発明によれば、引留具への巻き付け部において支持線に大きな曲げ力が付与されることを抑制することができる。
【発明の効果】
【００２１】
本発明によれば、高い抗張力を有し、引留具への巻き付け作業性が良好な光ファイバケーブル等を提供することができる。
【図面の簡単な説明】
【００２２】
【図１】光ファイバケーブル１を示す断面図。
【図２】光ファイバケーブル１の引き落とし構造を示す図。
【図３】引き留め構造２０を示す図。
【図４】光ファイバケーブル１ａを示す断面図。
【図５】光ファイバケーブル１ｂを示す断面図。
【発明を実施するための形態】
【００２３】
以下、図面を参照しながら、本発明の実施形態について説明する。図１は、自己支持型の光ファイバケーブル１を示す断面図である。光ファイバケーブル１は、主に、ケーブル部１７および支持線部１５が連結部１１で連結されて構成される。
【００２４】
ケーブル部１７は、光ファイバ心線３およびテンションメンバ５が外被９によって一括して被覆されて構成される。
【００２５】
光ファイバ心線３は、ケーブル部１７の略中心部に設けられる。光ファイバ心線３の両側には、テンションメンバ５が設けられる。光ファイバ心線３の中心とテンションメンバ５のそれぞれの中心は、略同一直線上（図中直線Ａ）に位置する。
【００２６】
なお、光ファイバ心線３の上下に位置する外被９の外周には、必要に応じてＶ字状のノッチ１３が形成される。ノッチ１３は、外被９を引裂き、内部の光ファイバ心線３を容易に取り出すためのものである。
【００２７】
テンションメンバ５の材質としては、例えば、亜鉛メッキ鋼線、あるいは強化繊維としてアラミド繊維やガラス繊維を用いた繊維強化プラスチック（ＦＲＰ）を適用することができる。
【００２８】
外被９の材質としては、例えば、ＥＶＡ（エチレン酢酸ビニルコポリマー）やＥＥＡ（エチレン・アクリル酸エチル共重合体）、ＰＥ（ポリエチレン）、ＰＰ（ポリプロピレン）等の樹脂を適用することができる。また、これら樹脂にさらに難燃剤や耐候性用にカーボンブラックを添加することもできる。
【００２９】
なお、ケーブル部１７の断面の外径は、例えば、長径（図中左右方向）×短径（図中上下方向）が約３．１ｍｍ×２ｍｍ程度とすればよい。
【００３０】
ケーブル部１７の両側には、支持線部１５が設けられる。すなわち、光ファイバケーブル１は、支持線部１５が２つ設けられる。支持線部１５は、支持線７が外被９によって被覆されて構成される。２つの支持線部１５は、ケーブル部１７と連結部１１で連結される。すなわち、支持線部１５の外被９とケーブル部１７の外被９とが連結部１１を介して一体で形成される。なお、支持線７は、例えば、亜鉛メッキ鋼線等からなる。
【００３１】
光ファイバケーブル１の軸方向に垂直な断面において、それぞれの支持線部１５の支持線７は、光ファイバ心線３とテンションメンバ５の中心とを結ぶケーブル部１７の中心線（の延長線）上（図中直線Ａ）に配置される。
【００３２】
ここで、一般的な光ファイバケーブル１の敷設状況として、スパン１５ｍ、弛度１％（重量０．０２５ｋｇ／ｍ）とする。これに、密度１００ｋｇ／ｍ３の雪が、直径１０ｃｍの筒状に光ファイバケーブル１に着雪したとすると、光ファイバケーブル１に作用する水平張力は、１４８９Ｎとなる。安全率を２とすると、２本の支持線７によって、２９７８Ｎ（約３０００Ｎ）の破断強度を有することが望ましい。
【００３３】
一方、支持線７を後述する引留具に巻き付ける作業性を考慮すると、支持線７が、例えば、ＪＩＳ  Ｇ３５２１、ＪＩＳ  Ｇ３５０６規定の硬綱線である場合には、外径は、１．６ｍｍ以下であることが望ましい。外径が大きくなりすぎると、支持線７を引留具へ巻き付けることが困難となる。
【００３４】
次に、光ファイバケーブル１の引き落とし構造を説明する。図２は、光ファイバケーブル１の引き落とし構造を示す概略図である。
【００３５】
ケーブル支柱である柱１９間に敷設された幹線ケーブルは、柱１９近傍に形成されたクロージャ２１に導入される。クロージャ２１では、必要な光ファイバが分岐され、光ファイバケーブル１に接続されて、例えば各家庭に引き落とされる。
【００３６】
クロージャ２１から分岐された光ファイバケーブル１は、例えば、柱１９に接合された引留具２３に引き留められる。図３は、図２のＢ部拡大図であり、光ファイバケーブルの引き留め構造２０を示す図である。
【００３７】
引留具２３は、支持部２７と保持部２９ａ、２９ｂ、２９ｃ等から構成される。リング状の支持部２７は、柱１９に固定される。なお、引き留め構造２０における支持部２７は、柱１９に設けられた吊り線２５等に分線金物を介して引掛けられてもよく、または、建屋等に固定されてもよい。
【００３８】
光ファイバケーブル１は、引留具２３との固定部近傍において、それぞれの支持線部１５とケーブル部１７とに分離される。すなわち、前述した連結部１１が破断される。
【００３９】
保持部２９ａ、２９ｂ、２９ｃは、それぞれ支持線部１５を巻き付けることが可能なように、例えば外周に溝等が形成される。支持線部１５は、例えば、保持部２９ａに引掛けられて、さらに保持部２９ｂの外周に巻きつけられ、さらに、保持部２９ｃの周囲に巻きつけられて保持される。
【００４０】
ここで、一方の支持線部１５と他方の支持線部１５とは、引留具２３のそれぞれの保持部に対して、逆方向に巻き付けられる。すなわち、一方の支持線部１５が、引留具２３に対して巻きつけられて支持され、他方の支持線部１５が、引留具２３に対して、一方の支持線部１５とは逆方向に巻き付けられて支持される。
【００４１】
通常、支持線部１５が１本の場合には、引留具２３への巻き付け開始部（図中Ｃ）において、風などの影響で、支持線部１５に大きな曲げ力が付与される場合がある。このため、支持線部１５がこの部位で破断するおそれがある。これに対し、２本の支持線部１５を互いに異なる方向に向けて巻き付けることで、支持線部１５が引留具２３の離間する２カ所から巻き付けられる。このため、それぞれの支持線部１５の巻き付け開始部（図中Ｃ）での曲げが生じにくく、支持線部１５に過剰な曲げ力が付与されることを抑制することができる。
【００４２】
以上、本実施の形態によれば、支持線部１５が２つ設けられるため、同一の径の支持線７が１本の場合と比較して、２倍の抗張力を得ることができる。このため、着雪に対して、光ファイバケーブル１が破断することを抑制することができる。また、それぞれの支持線７の径を太くする必要がないため、引留具２３への巻き付け作業性は、従来と同等である。
【００４３】
また、断面において、支持線部１５が、光ファイバ心線３およびテンションメンバ５の中心を通る同一直線上に配置されることで、コイル状に光ファイバケーブル１を巻き付ける作業が容易である。
【００４４】
また、支持線部１５がケーブル部１７の両側に配置されることで、両側の支持線部１５によって、ケーブル部１７の両側を保護する効果も期待できる。
【００４５】
次に、第２の実施形態について説明する。図４は、光ファイバケーブル１ａを示す断面図である。なお、以下の説明において、光ファイバケーブル１と同様の機能を奏する構成については、図１と同一の符号を付し、重複する説明を省略する。光ファイバケーブル１ａは、光ファイバケーブル１と略同様の構成であるが、支持線部１５とケーブル部１７のサイズが異なる。
【００４６】
光ファイバケーブル１ａでは、支持線部１５の併設方向に垂直な方向（図中上下方向）に対する支持線部１５の外径（図中Ｄ）が、支持線部１５の併設方向に垂直な方向に対するケーブル部１７の外径（短径であって、図中Ｅ）よりも大きい。すなわち、ケーブル部１７は、両側の支持線部１５で囲まれる範囲からはみ出すことがない。
【００４７】
第２の実施形態によれば、第１の実施形態と同様の効果を得ることができる。また、ケーブル部１７が、支持線部１５で囲まれる範囲内に配置されるため、側圧（図４の上下方向からの押圧力など）に対して、支持線部１５によってケーブル部１７を確実に保護することができる。
【００４８】
次に、第３の実施形態について説明する。図５は、光ファイバケーブル１ｂを示す図である。光ファイバケーブル１ｂは、光ファイバケーブル１と略同様の構成であるが、支持線部１５の配置が異なる。
【００４９】
光ファイバケーブル１ｂでは、ケーブル部１７の一方の側に、支持線部１５が併設される。支持線部１５同士は、連結部１１を介して接続される。
【００５０】
第３の実施形態によれば、第１の実施形態と同様の効果を得ることができる。このように、本発明では、支持線部１５は、ケーブル部１７の両側に配置されなくてもよい。
【実施例】
【００５１】
次に、本発明の光ファイバケーブルの支持線の破断強度と引留具への取り付け易さについて評価した。光ファイバケーブルとしては、図４に示す光ファイバケーブル１ａと同様のものを用いた。
【００５２】
支持線としては、亜鉛メッキ鋼線を用い、支持線径としては、１．２ｍｍ〜１．８ｍｍについて評価した。テンションメンバは、直径０．５ｍｍのアラミド繊維とした。外被は、難燃ポリオレフィン材料とした。
【００５３】
支持線部の外径は２．０ｍｍとし、ケーブル部の寸法は、１．６ｍｍ×２．０ｍｍとした。なお、光ファイバケーブルの全幅は、６．４ｍｍであった。
【００５４】
また、上記のものに対して、従来のように、支持線部を１つとしたものも評価した。支持線径としては、１．２ｍｍ〜２．０ｍｍについて評価した。なお、支持線径が１．２ｍｍ〜１．８ｍｍの場合には、支持線部の外径は２．０ｍｍであり、支持線径が２．０ｍｍの場合には、支持線部の外径は２．８ｍｍとした。その他の構成は、前述した通りである。結果を表１に示す。
【００５５】
【表１】
2017173519.tif 000003
【００５６】
前述した様に、安全率を２とした着雪を考慮した破断強度としては、３０００Ｎ以上のものを○とし、３０００Ｎ未満のものを×とした。なお、光ファイバケーブルの破断強度としては、支持線の破断強度のみを考慮した。また、支持線が２本の場合には、それぞれの支持線の破断強度の総和とした。
【００５７】
引留具への取り付け易さは、支持線部を分岐させて、引留具へ支持線部を巻き付けた際、容易に支持線部を引留具へ固定できたものを○、容易ではないが、作業者の手で支持線部を引留具へ固定できたものを△、ペンチなどの工具が必要であった物を×とした。
【００５８】
結果より、支持線部を２つ設けた場合には、十分な破断強度を得ることができた。また、１本の太い支持線によって大きな破断強度を得る場合と比較して、より細い支持線を用いることができるため、引留具への取り付け作業も容易である。特に、支持線の外径が１．２ｍｍ〜１．６ｍｍの場合には、引留具への巻き付け作業が容易であった。
【００５９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６０】
例えば、光ファイバケーブルは、光ファイバ心線３を１本とした態様を示したが、本発明の光ファイバケーブルにおいて光ファイバ心線３の本数は１本に限定されず、２本以上の所望の本数を採用することができる。また、複数本数の光ファイバ心線３からなる光ファイバユニットを採用してもよい。
【００６１】
また、光ファイバケーブルにはノッチ１３を形成したが、ノッチ１３は必ずしもなくてもよい。さらに、ノッチ１３の形状も、断面視が三角形状の態様を示したが、これには限定されず、台形状、半円状等、任意の形状のノッチを形成することができる。
【００６２】
また、一対の支持線部１５のそれぞれの支持線７の外径は、同一でなくてもよく、異なる外径の支持線７を用いてもよい。このようにすることで、規格径の支持線の外径を適宜組み合わせて、必要最小限の破断強度を確保することができる。
【符号の説明】
【００６３】
１、１ａ、１ｂ………光ファイバケーブル
３………光ファイバ心線
５………テンションメンバ
７………支持線
９………外被
１１………連結部
１３………ノッチ
１５………支持線部
１７………ケーブル部
１９………柱
２１………クロージャ
２３………引留具
２５………吊り線
２７………支持部
２９ａ、２９ｂ、２９ｃ………保持部
【図１】
2017173519.tif 000004
【図２】
2017173519.tif 000005
【図３】
2017173519.tif 000006
【図４】
2017173519.tif 000007
【図５】
2017173519.tif 000008